(57)【要約】【課題】構成やシステムを複雑化させることなく、複数の無停電電源装置１を同時に且つ常時に監視すること。【解決手段】各無停電電源装置１から、装置データおよびスイッチの設定値を送信する。監視装置２は、装置データおよび設定値を受信して、設定値毎に無停電電源装置１の表示オブジェクトを表示する。また、監視装置２は、いずれかの表示オブジェクトが選択されると、それに対応する設定値とともに受信した全ての装置データを表示する。【選択図】　図３
2004129460.tif 000002
【特許請求の範囲】
【請求項１】
複数個の無停電電源装置を監視装置で監視する無停電電源システムの監視方法であって、
上記各無停電電源装置から、装置データおよびスイッチの設定値を送信し、
上記監視装置は、上記装置データおよび上記設定値を受信して、上記設定値毎に無停電電源装置の表示オブジェクトを表示し、さらに、上記表示オブジェクトが選択されると、選択された表示オブジェクトに対応した上記設定値を有する全ての無停電電源装置に関する上記装置データを表示することを特徴とする無停電電源システムの監視方法。
【請求項２】
前記監視装置は、前記装置データに基づいて前記各無停電電源装置が給電しているかあるいは給電を停止しているかを判定し、給電している前記無停電電源装置の前記装置データのみを、前記表示オブジェクトの選択に応じて表示することを特徴とする請求項１記載の無停電電源システムの監視方法。
【請求項３】
複数個の無停電電源装置と、
上記複数個の無停電電源装置を監視する監視装置と、
上記各無停電電源装置に設けられるスイッチと、
上記各無停電電源装置に設けられる下位通信部材と、
上記監視装置に設けられる上位通信部材と、
複数個の上記下位通信部材と上記上位通信部材とを接続する複数の信号線と、
上記各無停電電源装置に設けられ、それぞれの装置データおよび上記スイッチの設定値を上記下位通信部材に送信させる送信手段と、
上記監視装置に設けられる記憶部材と、
上記監視装置に設けられ、上記上位通信部材を介して上記装置データおよび上記スイッチの設定値を受信し、この受信したデータを上記記憶部材に記憶させる受信手段と、
上記監視装置に設けられ、上記設定値毎に無停電電源装置の表示オブジェクトを表示させ、上記表示オブジェクトが選択された場合には、選択された表示オブジェクトに対応した上記設定値を有する全ての無停電電源装置に関する上記装置データを表示させる表示手段と、を備えることを特徴とする無停電電源システム。
【請求項４】
前記表示手段は、前記記憶部材に記憶されている装置データに基づいて前記各無停電電源装置が給電しているかあるいは給電を停止しているかを判定し、動作している前記無停電電源装置の前記装置データのみを、前記表示オブジェクトの選択に応じて表示することを特徴とする請求項３記載の無停電電源システム。
【請求項５】
複数個の無停電電源装置を監視する監視装置であって、
記憶部材と、
上記複数個の無停電電源装置それぞれから、それぞれの装置データおよびスイッチによる設定値を受信する上位通信部材と、
上記上位通信部材が受信した上記装置データおよび設定値を上記記憶部材に記憶させる受信手段と、
上記設定値毎に無停電電源装置の表示オブジェクトを表示させ、上記表示オブジェクトが選択された場合には、選択された表示オブジェクトに対応した上記設定値を有する全ての無停電電源装置に関する上記装置データを表示させる表示手段と、を備えることを特徴とする監視装置。
【請求項６】
前記表示手段は、前記記憶部材に記憶されている装置データに基づいて前記各無停電電源装置が給電しているかあるいは給電を停止しているかを判定し、動作している前記無停電電源装置の前記装置データのみを、前記表示オブジェクトの選択に応じて表示することを特徴とする請求項５記載の監視装置。
【発明の詳細な説明】
【０００１】
【発明の属する技術分野】
本発明は、複数個の無停電電源装置を１つの監視装置で監視する無停電電源システムの監視方法、無停電電源システムおよび監視装置に関する。
【０００２】
【従来の技術】
従来、無停電電源装置と、監視装置とを備える無停電電源システムは、たとえば特許文献１に開示されている。
【０００３】
特許文献１に記載される従来の無停電電源システムでは、無停電電源装置とパソコンとが公衆電話回線で接続されている。そして、パソコンから無停電電源装置へ制御信号を出力することで、無停電電源装置の入力電圧開閉器を開閉させたりすることができる。
【０００４】
ところで、負荷機器を好適にバックアップするため、複数個の無停電電源装置を利用して、無停電電源システムを構築することがある。特に、近年のように電力のバックアップを必要とする通信機器が多数分散して用いられるような電力環境下においては、たとえばその通信機器毎に複数個の無停電電源装置が利用される。このように複数個の無停電電源装置を利用する無停電電源システムは、たとえば特許文献２に開示されている。
【０００５】
【特許文献１】
特開平９−１５２８５号公報
【特許文献２】
特開平８−２８９４８５号公報
【０００６】
【発明が解決しようとする課題】
しかしながら、特許文献１に開示されている従来の無停電電源システムでは、パソコンは各無停電電源装置毎に設けられている。その結果、１台のパソコンは、２台以上の無停電電源装置を同時に監視することができない。このため、常時、複数の無停電電源装置を監視しようとすると、複数のパソコンが必要となり、コストがかさむと共にシステムが複雑になってしまう。
【０００７】
また、特許文献２に開示されている従来の無停電電源システムでは、一方の無停電電源装置から供給される電力を負荷機器へ供給しているときに、その一方の無停電電源装置の入力電力がたとえば停電すると、スイッチを切り替えて他方の無停電電源装置から負荷機器へ電力を供給する。これにより、一方の無停電電源装置の入力電力が停電しているにもかかわらず、負荷機器を動作動作させ続けることができる。
【０００８】
このような利点を特許文献２記載の無停電電源システムは有するものの、１台の負荷機器に対して複数の無停電電源装置が必要となり、しかも、各無停電電源装置に対して原則として１台毎に監視装置が必要となる。なお、無停電電源装置の切替に対応して監視装置も監視対象を切り替えるような設定をすればよい。これにより、複数の無停電電源装置に対して１台の監視装置で済むが、１台の監視装置で常時各無停電電源装置を監視することができない。
【０００９】
このように、従来の無停電電源システムには、１つの監視装置で複数の無停電電源装置を同時に且つ常時に監視することができるものはなく、このような監視を実現しようとすると、監視装置を多数配置する必要が生じている。このため、無停電電源システムの各無停電電源装置を同時且つ常時監視しようとすると、無停電電源システムの配線が複雑化するとともにコストが上昇する。
【００１０】
本発明は、以上の課題に鑑みなされたものであり、構成やシステムを複雑化させることなく複数の無停電電源装置を同時且つ常時に監視することができる無停電電源システムの監視方法、無停電電源システムおよび監視装置を得ることを目的とする。
【００１１】
【課題を解決するための手段】
本発明に係る無停電電源システムの監視方法は、複数個の無停電電源装置を監視装置で監視する無停電電源システムの監視方法であって、各無停電電源装置から、装置データおよびスイッチの設定値を送信し、監視装置は、装置データおよび設定値を受信して、設定値毎に無停電電源装置の表示オブジェクトを表示し、さらに、表示オブジェクトが選択されると、選択された表示オブジェクトに対応する設定値を有する全ての無停電電源装置に関する装置データを表示するものである。
【００１２】
この方法を採用すれば、監視装置に複数個の無停電電源装置の装置データを送信して表示させ、この管理装置で複数個の無停電電源装置を同時に且つ常時に監視することができる。
【００１３】
特に、直列あるいは並列に接続されて、互いに協調動作させている複数個の無停電電源装置のスイッチに同一の値を設定することで、この複数個の無停電電源装置を１つの無停電電源装置として常時監視し、且つ、その１つの無停電電源装置の構成情報として、複数個の無停電電源装置の装置データを表示することができる。
【００１４】
その結果、協調動作している複数個の無停電電源装置を、個別にだけでなく、その協調動作している状態、すなわち連動関係を含めてきめ細かい監視をすることができる。また、そのように協調動作している複数個の無停電電源装置を、他の無停電電源装置とともに、１つの監視装置で管理することができる。
【００１５】
本発明に係る無停電電源システムの監視方法はさらに、監視装置は、装置データに基づいて各無停電電源装置が給電しているかあるいは給電を停止しているかを判定し、給電している無停電電源装置の装置データのみを、表示オブジェクトの選択に応じて表示するものである。
【００１６】
この方法を採用すれば、給電を停止している無停電電源装置は、表示されない。したがって、たとえば、ｎ＋１個の無停電電源装置で冗長運転している場合には、給電しているｎ個の無停電電源装置の装置データのみを表示することができる。その結果、冗長運転しているｎ＋１個の無停電電源装置は、ｎ個の無停電電源装置の集合体として監視させることができる。
【００１７】
本発明に係る無停電電源システムは、複数個の無停電電源装置と、複数個の無停電電源装置を監視する監視装置と、各無停電電源装置に設けられるスイッチと、各無停電電源装置に設けられる下位通信部材と、監視装置に設けられる上位通信部材と、複数個の下位通信部材と上位通信部材とを接続する複数の信号線と、各無停電電源装置に設けられ、それぞれの装置データおよびスイッチの設定値を下位通信部材に送信させる送信手段と、監視装置に設けられる記憶部材と、監視装置に設けられ、上位通信部材を介して装置データおよびスイッチの設定値を受信し、この受信したデータを記憶部材に記憶させる受信手段と、監視装置に設けられ、設定値毎に無停電電源装置の表示オブジェクトを表示させ、表示オブジェクトが選択された場合には、選択された表示オブジェクトに対応する設定値を有する全ての無停電電源装置に関する装置データを表示させる表示手段と、を備えるものである。
【００１８】
この構成を採用すれば、監視装置に複数個の無停電電源装置の装置データを送信して表示させ、この管理装置で複数個の無停電電源装置を同時に且つ常時に監視することができる。特に、直列あるいは並列に接続されて、互いに協調動作させている複数個の無停電電源装置のスイッチに同一の値を設定することで、この複数個の無停電電源装置を１つの無停電電源装置として監視し、且つ、その１つの無停電電源装置の構成情報として、複数個の無停電電源装置の装置データを表示することができる。
【００１９】
本発明に係る無停電電源システムはさらに、表示手段は、記憶部材に記憶されている装置データに基づいて各無停電電源装置が給電しているかあるいは給電を停止しているかを判定し、動作している無停電電源装置の装置データのみを、表示オブジェクトの選択に応じて表示するものである。
【００２０】
この構成を採用すれば、給電を停止している無停電電源装置は、表示されない。したがって、たとえば、ｎ＋１個の無停電電源装置で冗長運転している場合には、給電しているｎ個の無停電電源装置の装置データのみを表示することができる。
【００２１】
本発明に係る監視装置は、複数個の無停電電源装置を監視する監視装置であって、記憶部材と、複数個の無停電電源装置それぞれから、それぞれの装置データおよびスイッチによる設定値を受信する上位通信部材と、上位通信部材が受信した装置データおよび設定値を記憶部材に記憶させる受信手段と、設定値毎に無停電電源装置の表示オブジェクトを表示させ、表示オブジェクトが選択された場合には、選択された表示オブジェクトに対応する設定値を有する全ての無停電電源装置に関する装置データを表示させる表示手段と、を備えるものである。
【００２２】
この構成を採用すれば、監視装置に複数個の無停電電源装置の装置データを送信して表示させ、この管理装置で複数個の無停電電源装置を同時に且つ常時に監視することができる。特に、直列あるいは並列に接続されて、互いに協調動作させている複数個の無停電電源装置のスイッチに同一の値を設定することで、この複数個の無停電電源装置を１つの無停電電源装置として監視し、且つ、その１つの無停電電源装置の構成情報として、複数個の無停電電源装置の装置データを表示することができる。
【００２３】
本発明に係る監視装置はさらに、表示手段は、記憶部材に記憶されている装置データに基づいて各無停電電源装置が給電しているかあるいは給電を停止しているかを判定し、動作している無停電電源装置の装置データのみを、表示オブジェクトの選択に応じて表示するものである。
【００２４】
この構成を採用すれば、給電を停止している無停電電源装置は、表示されない。したがって、たとえば、ｎ＋１個の無停電電源装置で冗長運転している場合には、給電しているｎ個の無停電電源装置の装置データのみを表示することができる。
【００２５】
【発明の実施の形態】
以下、本発明に係る無停電電源システムの監視方法、無停電電源システムおよび監視装置を、図面に基づいて説明する。なお、無停電電源システムの監視方法は、無停電電源システムの動作の一部として説明する。
【００２６】
図１は、本発明の実施の形態に係る無停電電源装置１を示す装置構成図である。
【００２７】
無停電電源装置１は、後述する配電線３が接続される一対の入力端子１１と、後述する配電線３が接続される一対の出力端子１２と、入力端子１１に接続されるコンバータ１３と、出力端子１２に接続されるインバータ１４と、コンバータ１３とインバータ１４との間に接続されるバッテリ１５と、を備える。
【００２８】
コンバータ１３は、入力端子１１から入力される交流電力を直流電力に変換する。この直流電力は、バッテリ１５およびインバータ１４へ供給される。バッテリ１５は、直流電力で充電される。インバータ１４は、直流電力を交流電力へ変換する。インバータ１４が生成した交流電力が出力端子１２から出力される。
【００２９】
コンバータ１３とインバータ１４とは、マイクロコンピュータ１６にて制御される。マイクロコンピュータ１６は、コンバータ１３やインバータ１４へ制御信号を出力するＩ／Ｏポート（Ｉｎｐｕｔ／Ｏｕｔｐｕｔ　Ｐｏｒｔ）１７と、プログラムやデータを記憶する記憶部材１８と、プログラムを実行する中央処理装置（ＣＰＵ：Ｃｅｎｔｒａｌ　Ｐｒｏｃｅｓｓｉｎｇ　Ｕｎｉｔ）１９と、中央処理装置１９がプログラム実行の際に作業領域などとして利用するＲＡＭ（Ｒａｎｄｏｍ　Ａｃｃｅｓｓ　Ｍｅｍｏｒｙ）２０と、これらを相互に接続するシステムバス２１と、を備える。
【００３０】
記憶部材１８には、電源監視プログラム２２が記憶されている。この電源監視プログラム２２は、無停電電源装置１が起動されると、中央処理装置１９にて実行される。これにより、電源監視手段が実現される。また、記憶部材１８には、設定データ２３、動作データ２４、警報データ２５などの装置データが記憶される。
【００３１】
電源監視手段は、入力端子１１に入力される交流電力を監視する。実際には、入力電圧や入力電流を検出する図示外の検出部材からの検出信号がＩ／Ｏポート１７へ入力され、このＩ／Ｏポート１７に入力される検出信号を監視する。このＩ／Ｏポート１７に入力される検出信号は、動作データ２４の一部として記憶部材１８に記憶される。
【００３２】
そして、たとえば入力電圧範囲などの設定データ２３に基づいてＩ／Ｏポート１７に入力される検出信号が正常であると判断できる場合、電源監視手段は、コンバータ１３およびインバータ１４を動作させる。これにより、入力端子１１から入力される正常な交流電力は、コンバータ１３およびインバータ１４を介して、出力端子１２から出力される。また、コンバータ１３で直流に変換された電力で、バッテリ１５は充電される。
【００３３】
停電などに起因して、Ｉ／Ｏポート１７に入力される検出信号が正常でなくなると、電源監視手段は、コンバータ１３を停止させる。これにより、バッテリ１５に蓄電されている直流電力がインバータ１４で交流電力に変換され、この交流電力が、バックアップ電力として、出力端子１２から出力される。また、電源監視手段は、バックアップ電力を供給している状態を示す警報データ２５を記憶部材１８に記憶させる。なお、電源監視手段は、引き続き、入力端子１１に入力される交流電力を監視し続け、この交流電力が正常な状態に復帰したら、再びコンバータ１３を動作させる。また、電源監視手段は、コンバータ１３の再動作と同時または相前後して記憶部材１８の警報データ２５を消去する。なお、消去せずに、警報履歴として内部にデータとして保存するようにしてもよい。
【００３４】
このように無停電電源装置１は、入力端子１１に入力される交流電力に異常が生じたとしても、電力の供給源をバッテリ１５に切り替えて、出力端子１２から正常な交流電力を供給しつづけることができる。その結果、出力端子１２に接続される後述する負荷機器５は、入力端子１１に入力される交流電力が異常な状態になっているのにもかかわらず、バックアップ電力によって正常に動作し続けることができる。
【００３５】
この実施の形態１に係る無停電電源装置１には更に、下位通信部材２６と、スイッチとしてのディップスイッチ２７と、が設けられている。下位通信部材２６とディップスイッチ２７とは、それぞれ、Ｉ／Ｏポート１７に接続される。また、記憶部材１８には、通信プログラム２８が記憶されている。
【００３６】
ディップスイッチ２７は、複数個のスイッチが一体化されているものである。各スイッチは、オン状態またはオフ状態に択一的に設定される。そして、各スイッチは、それぞれの設定状態を出力する。ディップスイッチ２７は、複数のスイッチの設定状態の組合せを設定値として出力する。
【００３７】
なお、この実施の形態では、設定値を出力するスイッチとして、ディップスイッチ２７を使用しているが、ロータリスイッチであっても、単なるスイッチであってもよい。また、プログラムによって実現されるスイッチであってもよい。但し、ディップスイッチ２７は、一般的に４つあるいは８つのスイッチが組み合わされているので、設定値として１５（１６（＝２４）とおり）種類や、２５５（２５６（＝２８）とおり）種類もの値を設定することができ、後述するように無停電電源システムを構成する無停電電源装置１の個数が多くなってしまうような状況であっても、本実施の形態の無停電電源装置１を利用することができる。
【００３８】
下位通信部材２６は、Ｉ／Ｏポート１７から入力される通信データを、下位通信部材２６に接続されている後述する信号線６を介して後述する上位通信部材３６へ送信する。また、下位通信部材２６は、後述する上位通信部材３６（図２参照）から信号線６を介して受信した通信データを、Ｉ／Ｏポート１７へ出力する。
【００３９】
信号線６（図３参照）としては、たとえばイーサーネットケーブルや電話回線ケーブルなどがある。信号線６としてイーサーネットケーブルを使用する場合、これら下位通信部材２６および上位通信部材３６は、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）などに準拠した通信手順で通信データを送信あるいは受信する。信号線６として電話回線ケーブルを使用する場合、これら下位通信部材２６および上位通信部材３６は、ＡＴＭ（Ａｓｙｎｃｈｒｏｎｏｕｓ　ＴｒａｎｓｆｅｒＭｏｄｅ）に対応する通信手順で通信データを送信あるいは受信する。
【００４０】
通信プログラム２８は、無停電電源装置１が起動されると、中央処理装置１９に実行される。これにより、送信手段としての通信手段が実現される。
【００４１】
通信手段は、記憶部材１８から設定データ２３、動作データ２４、警報データ２５を読み込むとともに、Ｉ／Ｏポート１７に入力されているディップスイッチ２７の設定値を読み取り、これら装置データおよび設定値をまとめて通信データとして、下位通信部材２６へ出力する。このとき、通信手段は、たとえば、下位通信部材２６がＴＣＰ／ＩＰに基づいて動作している場合には、送信先のＩＰアドレスを指定する。これにより、下位通信部材２６は、指定された送信先へ、装置データおよび設定値を、通信データとして送信することができる。
【００４２】
なお、通信手段は、設定データ２３などを周期的に送信させても、あるいは、上位通信部材３６からの送信リクエストに応じて、設定データ２３などを送信させるようにしてもよい。
【００４３】
また、通信手段は、下位通信部材２６が受信した通信データを記憶部材１８に記憶させる。このとき、たとえば、受信した通信データが設定データ２３である場合には、通信手段は、古い設定データ２３を新しい設定データ２３で上書きする。これにより、記憶部材１８に常に最新の設定データ２３を記憶させ、その最新の設定データ２３に基づいて無停電電源装置１を制御することができる。
【００４４】
図２は、本発明の実施の形態に係る監視装置２を示す装置構成図である。
【００４５】
監視装置２は、Ｉ／Ｏポート３１と、プログラムやデータを記憶する記憶部材３２と、プログラムを実行する中央処理装置３３と、中央処理装置３３がプログラム実行の際に作業領域などとして利用するＲＡＭ３４と、これらを相互に接続するシステムバス３５と、を備える。
【００４６】
また、Ｉ／Ｏポート３１には、上位通信部材３６と、キーボード３７と、モニタ３８と、が接続されている。上位通信部材３６は、受信した通信データをＩ／Ｏポート３１へ出力し、Ｉ／Ｏポート３１から入力される通信データを送信する。
【００４７】
記憶部材３２には、監視プログラム３９が記憶されている。監視プログラム３９は、監視装置２が起動されると、中央処理装置３３に実行される。これにより、受信手段および表示手段としての監視手段が実現される。
【００４８】
監視手段は、上位通信部材３６からＩ／Ｏポート３１へ出力される通信データを記憶部材３２に記憶させる。このとき、各通信データは、送信元の無停電電源装置１が特定できるように識別情報を付加して記憶させる。このような目的で使用する識別情報は、たとえば、各下位通信部材２６のＴＣＰ／ＩＰアドレスなどが利用できる。なお、通信データ自体に、その無停電電源装置１をその他の無停電電源装置１から区別することができる識別情報が含まれている場合には、監視手段は、新たに識別情報を付加しなくてよい。
【００４９】
監視手段は、記憶部材３２に記憶されている無停電電源システムに関する情報をＩ／Ｏポート３１からモニタ３８へ出力する。モニタ３８は、Ｉ／Ｏポート３１から入力される情報を、表示画面に表示する。
【００５０】
監視手段は、キーボード３７からＩ／Ｏポート３１に入力される入力データに基づいて、設定データ２３や制御データを生成する。この設定データ２３や制御データは、Ｉ／Ｏポート３１から上位通信部材３６へ出力され、上位通信部材３６によって所定の無停電電源装置１の下位通信部材２６へ送信される。なお、設定データ２３や制御データは、監視手段によって生成された後、一旦記憶部材３２に記憶されてからＩ／Ｏポート３１から出力されても、監視手段によって生成されたら直ちにＩ／Ｏポート３１から出力されてもよい。
【００５１】
次に、これら無停電電源装置１および監視装置２を用いた無停電電源システムについて説明する。
【００５２】
図３は、図１に示す無停電電源装置１と、図２に示す監視装置２とを組み合わせて構成される無停電電源システムの一例を示すシステム構成図である。
【００５３】
この無停電電源システムでは、商用交流電源４に、配電線３を介して、２つの無停電電源装置１の入力端子１１が並列に接続されている。なお、図３では、各無停電電源装置１の一対の入力端子１１、一対の出力端子１２をそれぞれ１つにまとめて示し、電源線３の接続部分も両端それぞれ１つとして簡略化して示す。
【００５４】
一方の無停電電源装置１の出力端子１２には、配電線３を介して、負荷機器５が接続されている。
【００５５】
他方の無停電電源装置１の出力端子１２には、配電線３を介して、５つの無停電電源装置１の入力端子１１が並列に接続されている。５つの無停電電源装置１の出力端子１２は、配電線３を介して、１つの他の負荷機器５に共通に接続されている。この５つの無停電電源装置１は、協調運転している。
【００５６】
また、これら合計７つの無停電電源装置１の下位通信部材２６は、信号線６によって、監視装置２の上位通信部材３６に接続されている。
【００５７】
そして、無停電電源システムがこのような構成である場合、並列に接続されて協調運転している５つの無停電電源装置１の各ディップスイッチ２７には、同一の値が設定される。その他２つの無停電電源装置１の各ディップスイッチ２７には、この５つの無停電電源装置１とは異なり、且つ、互いに異なる値が設定される。したがって、この無停電電源システムでは、ディップスイッチ２７に関しては合計３つの異なる設定値が設定される。
【００５８】
このような無停電電源システムの各無停電電源装置１では、電源監視手段が、設定データ２３に基づいて、それぞれに入力される入力電力の品質を監視し、入力電力に停電などの異常が生じた場合には、コンバータ１３を停止して、バッテリ１５の電力で出力電力を生成する。そして、入力電力の監視データは、動作データ２４として記憶部材１８に記憶される。異常時には、記憶部材１８に警報データ２５が記憶される。また、これら設定データ２３、動作データ２４および警報データ２５は、ディップスイッチ２７の設定値とともに、通信手段の制御の下で、送信先として監視装置２が指定されて、下位通信部材２６から信号線６へ送信される。
【００５９】
設定データ２３、動作データ２４、警報データ２５およびディップスイッチ２７の設定値は、監視装置２の上位通信部材３６に受信され、監視装置２の記憶部材３２に記憶される。監視手段は、無停電電源装置１に対応する後述する表示オブジェクト４２（図４参照）を表示する。このとき、表示オブジェクト４２は、記憶部材３２に記憶されているディップスイッチ２７の設定値の種類と同数、この実施の形態では、３つだけ表示される。
【００６０】
なお、各無停電電源装置１に対応するこの表示オブジェクト４２は、図形であっても、文字列であっても、記号であってもよい。文字列である場合には、たとえば各無停電電源装置１の型名などを使用すればよい。図形や記号である場合には、全ての表示オブジェクト４２が同一であってもよいが、互いが区別できるように複数種類の表示オブジェクトの４２中からそれぞれに割り当てるようにしてもよい。これにより、各無停電電源装置１をモニタ３８上で互いに区別することができる。
【００６１】
特に、表示オブジェクト４２として図形や記号を用いる場合、各無停電電源装置１に対応する表示オブジェクト４２として、無停電電源装置１の動作状態などに応じた複数個の図形や記号を記憶部材３２に記憶させるとよい。監視手段は、動作データに応じて、この記憶部材３２に記憶されている複数個の図形や記号の中から１つを選択して表示する。これにより、無停電電源システムの全体の動作状態をモニタ３８で簡単に確認することができる。
【００６２】
さらには、表示オブジェクト４２は、これら図形、文字列、記号などを組み合わせたものであってもよい。
【００６３】
図４に、監視装置２のモニタ３８に表示される監視ウィンドウ４１の一例を示す。この監視ウィンドウ４１では、その左側に、表示オブジェクト４２のリストが表示されている。また、監視ウィンドウ４１の右側には、その左側において選択された表示オブジェクト４２の設定データ、動作データ、警報データが表示される。
【００６４】
この監視ウィンドウにおいて、表示オブジェクト４２のリストは、無停電電源装置１同士の接続関係に従ったツリー構造に並べられている。具体的には、商用交流電源４に対応する表示オブジェクト４３に、２つの無停電電源装置１に対応する表示オブジェクト４２が接続された構造になっている。一方の無停電電源装置１に対応する表示オブジェクト４２には、負荷機器５に対応する表示オブジェクト４４が接続されている。他方の無停電電源装置１に対応する表示オブジェクト４２には、さらにもう１つの無停電電源装置１に対応する表示オブジェクト４２が接続されている。このさらにもう１つの無停電電源装置１に対応する表示オブジェクト４２には、負荷機器５に対応する表示オブジェクト４４が接続されている。
【００６５】
なお、監視手段は、モニタ３８に表示する際に記憶部材３２を検索し、これによりディップスイッチ２７の設定の種類の数を判断するようにしてもよい。他にもたとえば、監視手段は、各無停電電源装置１から通信データを受信する度に、その通信データに含まれるディップスイッチ２７の設定値を判定し、このディップスイッチ２７の設定値のリストを記憶部材３２に記憶させておき、モニタ３８に表示する際にはこのリストを読み込んで所定数の表示オブジェクト４２を表示するようにしてもよい。これにより、無停電電源装置１のリストを表示するまでの処理時間を短縮することができる。なお、リストをツリー構造で表示する場合には、各設定値に対応する無停電電源装置１の接続関係に関する情報を、リストに含めるようにするとよい。
【００６６】
そして、監視ウィンドウ４１の中の１つの無停電電源装置１の表示オブジェクト４２がキーボード３７などの入力デバイスによって選択されると、監視手段は、選択された表示オブジェクト４２に対応する無停電電源装置１に関する設定データ２３、動作データ２４および警報データ２５を記憶部材３２から読出し、監視ウィンドウ４１の右側に表示させる。図４では、各無停電電源装置１の動作状態、入力電圧、出力電圧、警報（アラーム）の状態が表示されている。
【００６７】
表示オブジェクト４２の選択に基づいて、記憶部材３２内の装置データを検索する場合、監視手段は、予め表示オブジェクト４２と設定値とを対応付けたリストを作成し、記憶部材３２に記憶しておくとよい。そして、監視手段は、表示オブジェクト４２が選択されたら、その表示オブジェクト４２に対応する設定値をそのリストで検索し、さらにその設定値に対応する無停電電源装置１の装置データを検索することで、選択された表示オブジェクト４２に対応する無停電電源装置１に関する設定データ２３、動作データ２４および警報データ２５を記憶部材３２から読み出すことができる。
【００６８】
このように、同一の設定値を有する複数個の無停電電源装置１に関するデータは、監視装置２において、１つの無停電電源装置１としてモニタ３８に表示させることができる。その結果、協調運転している複数個の無停電電源装置１は、それらのディップスイッチ２７に同一の値を設定するだけで、監視装置２において、１つの無停電電源装置１として監視することができる。
【００６９】
なお、複数個の無停電電源装置１を協調運転される場合として、所謂ｎ＋１の冗長化した運転をすることがある。そして、通常はｎ個の無停電電源装置１を動作させておき、いずれか１つの無停電電源装置１が故障した場合には、その故障した無停電電源装置１の替わりに余分な無停電電源装置１を起動する。これにより、いずれかの無停電電源装置１が故障したとしても、負荷機器５へ所定の電力を安定して供給することができる。
【００７０】
このような場合、監視手段は、共通の設定値に基づいて抽出された複数個の無停電電源装置１のデータから、給電している無停電電源装置１のデータのみを抽出し、この給電している無停電電源装置１のデータのみを表示させるようにしてもよい。これにより、実際に負荷機器５へ供給している電力と、監視装置２上での供給電力とを一致させることができる。なお、各無停電電源装置１が給電しているかあるいは給電を停止しているかは、たとえば各無停電電源装置１から受信した動作データに基づいて、判定すればよい。
【００７１】
また、監視ウィンドウ４１に表示されている設定データ２３や動作データ３４がキーボード３７の入力などによって変更されると、監視装置２は、この変更された設定データ２３や動作データ２４を、新しく設定された設定データ２３あるいは動作データを変更することになる制御データとして上位通信部材３６から送信させる。なお、制御データは、無停電電源装置１の動作状態を起動したり停止させたりするためのデータである。この制御データに基づいて無停電電源装置１が動作することで、結果として動作データが追従して変化する。
【００７２】
これらの設定データ２３や制御データは、信号線６を介して、表示オブジェクト４２に対応する無停電電源装置１の下位通信部材２６に受信され、その無停電電源装置１の記憶部材１８に記憶される。各無停電電源装置１の監視手段は、記憶部材１８に記憶されている設定データ２３や制御データに基づいて電源を監視する。したがって、各無停電電源装置１は、監視装置２において入力された設定データ２３や制御データに基づいて、電源を監視する動作を実行する。
【００７３】
以上のように、この実施の形態では、１つの管理装置２で複数個の無停電電源装置１を同時に且つ常時に監視することができる。
【００７４】
特に、直列あるいは並列に接続されて、互いに協調動作させている複数個の無停電電源装置１は、それらのディップスイッチ２７に共通の値を設定することで、１つの無停電電源装置１として監視することができる。
【００７５】
その結果、協調動作している複数個の無停電電源装置１を、個別にだけでなく、その協調動作している状態、すなわち連動関係を含めてきめ細かく監視をすることができる。また、そのように協調動作している複数個の無停電電源装置１を、他の無停電電源装置１とともに、１つの監視装置２で監視することができる。
【００７６】
なお、装置データとしては、設定データ２３、動作データ２４、警報データ２５の全てではなく、いずれか１つまたは複数としてもよい。また、これらのデータ以外のデータを装置データとしてもよい。モニタ３８に表示する装置データとしては、受信した全ての装置データとするのではなく、その一部としてもよい。また、ディップスイッチ２７の設定値をモニタ３８に表示するようにしてもよい。
【００７７】
以上の実施の形態は、本発明の好適な実施の形態の例であるが、これに限定されることなく、本発明の要旨を逸脱しない範囲において、種々の変形、変更が可能である。
【００７８】
たとえば、上記実施の形態では、各無停電電源装置１にディップスイッチ２７を設け、このディップスイッチ２７に設定されている値をそのまま設定値として送信している。この他にもたとえば、ロータリスイッチなどの他のスイッチを各無停電電源装置１に設けてもよい。また、これらのスイッチに設定されている値に基づいて、他の値をマイクロコンピュータ１６で生成し、このマイクロコンピュータ１６で生成した値を設定値として送信するようにしてもよい。
【００７９】
上記実施の形態では、協調運転している複数個の無停電電源装置１は別々の無停電電源装置１として設けられている。この他にもたとえば、ユニットボックスを設け、このユニットボックスにこれら複数個の無停電電源装置１を無停電電源ユニットとして格納するようにしてもよい。この場合、無停電電源装置１毎に設けられている下位通信部材２６やディップスイッチ２７などは、無停電電源装置１側ではなく、ユニットボックス側に設けてもよい。ユニットボックス側にディップスイッチ２７を設ける場合にはさらに、ディップスイッチ２７は、ユニットボックスに１つだけ設け、これを複数個の下位通信部材２６で共通に利用すればよい。
【００８０】
上記実施の形態では、全ての無停電電源装置１にディップスイッチ２７を設け、全ての無停電電源装置１から監視装置２へ設定値を送信させている。他にもたとえば、協働運転していたりして、１つの無停電電源装置１として管理したい無停電電源装置１のみにディップスイッチ２７を設け、設定値を送信させるようにしてもよい。この場合、監視手段は、設定値が無い各無停電電源装置１には、１つの表示オブジェクト４２を対応づける。
【００８１】
【発明の効果】
本発明では、１つの管理装置で複数個の無停電電源装置を同時に且つ常時に監視することができるので、構成やシステムを複雑化させることなく、複数の無停電電源装置を同時且つ常時に監視することができる。
【図面の簡単な説明】
【図１】本発明の実施の形態に係る無停電電源装置を示す装置構成図である。
【図２】本発明の実施の形態に係る監視装置を示す装置構成図である。
【図３】図１に示す無停電電源装置と、図２に示す監視装置とを組み合わせて構成される無停電電源システムの一例を示すシステム構成図である。
【図４】図２に示す監視装置のモニタに表示される監視ウィンドウの一例を示す図である。
【符号の説明】
１　無停電電源装置
２　監視装置
６　信号線
１９　中央処理装置（送信手段の一部）
２３　設定データ（装置データ）
２４　動作データ（装置データ）
２５　警報データ（装置データ）
２６　下位通信部材
２７　ディップスイッチ（スイッチ）
２８　通信プログラム（送信手段の一部）
３６　上位通信部材
３２　記憶部材
３３　中央処理装置（受信手段の一部、表示手段の一部）
３９　監視プログラム（受信手段の一部、表示手段の一部）
４２　表示オブジェクト
【図１】
2004129460.tif 000003
【図２】
2004129460.tif 000004
【図３】
2004129460.tif 000005
【図４】
2004129460.tif 000006